(57)【要約】【課題】内容物を容易に計量できると共に、容易に開閉できる計量キャップを提供する。【解決手段】内部が計量室とされたキャップ本体１０を備え、該キャップ本体１０の外周面には、その周方向に略直交する凸条が前記周方向に複数並んだローレット部２０が複数形成され、任意の前記ローレット部２０と他の任意の前記ローレット部２０との間には、前記凸条が形成されていない平滑部３０が形成され、前記周方向に回転させることにより容器本体に螺着又は螺脱される計量キャップ１において、前記ローレット部２０は、複数の第一の凸条２３からなる低ローレット部２２と、前記周方向における前記低ローレット部２２の両端に隣接して形成された第二の凸条２５からなる高ローレット部２４とを備え、前記第二の凸条２５は、前記キャップ本体１０の外周面上の高さが、前記第一の凸条２３の高さよりも高いことよりなる。【選択図】図１
2012144280.tif 000002
【特許請求の範囲】
【請求項１】
内部が計量室とされたキャップ本体を備え、該キャップ本体の外周面には、その周方向に略直交する凸条が前記周方向に複数並んだローレット部が複数形成され、任意の前記ローレット部と他の任意の前記ローレット部との間には、前記凸条が形成されていない平滑部が形成され、前記周方向に回転させることにより容器本体に螺着又は螺脱される計量キャップにおいて、
前記ローレット部は、複数の第一の凸条からなる低ローレット部と、前記周方向における前記低ローレット部の両端に隣接して形成された第二の凸条からなる高ローレット部とを備え、
前記第二の凸条は、前記キャップ本体の外周面上の高さが、前記第一の凸条の高さよりも高いことを特徴とする計量キャップ。
【請求項２】
任意の前記ローレット部は、前記キャップ本体の軸線を中心として８０〜１００°の範囲に形成され、かつ任意の前記平滑部は、前記キャップ本体の軸線を中心として８０〜１００°の範囲に形成されていることを特徴とする、請求項１に記載の計量キャップ。
【請求項３】
任意の前記ローレット部が、他の任意の前記ローレット部と前記キャップ本体の軸線に対し対称に形成されていることを特徴とする、請求項１又は２に記載の計量キャップ。
【請求項４】
前記第二の凸条は、前記キャップ本体の軸線方向に直交する断面が、突端を頂部とする略三角形とされていることを特徴とする、請求項１〜３のいずれか１項に記載の計量キャップ。
【請求項５】
前記キャップ本体の開口端から外方に延設された段差壁部と、該段差壁部の周縁から前記キャップ本体の軸線方向に延設された外筒部とを備え、前記外筒部の外周面には、その周方向に略直交する凸条が複数形成されていることを特徴とする、請求項１〜４のいずれか１項に記載の計量キャップ。
【発明の詳細な説明】
【技術分野】
【０００１】
本発明は、計量キャップに関する。
【背景技術】
【０００２】
一般に、液体洗剤、液体漂白剤、液体柔軟剤、溶剤等の液状物や、粒状洗剤、粒状漂白剤、粒状調味料等の粉粒物を収納する容器には、容器本体の口部に螺着するキャップが設けられており、このキャップには、開閉の際に手指が滑らないように、その回転方向に略直交する向きの凸条又は凹条からなるローレット（ナール）が形成されている。この内、複数の凹条からなるローレットは、キャップの外観への影響を小さくでき、意匠性に優れるものの、手指が滑りやすいという問題を有する。一方、複数の凸条からなるローレットは、凹条からなるローレットに比べて手指が滑りにくいものの、凸条間のピッチが手指の大きさにフィットしないと、凸条の頂部を連ねた面（ローレット表面）を、手指が容易に滑ってしまうという問題がある。特に、液状物や水等で濡れた手指は、ローレット表面を滑りやすい。
【０００３】
こうした問題に対し、隣り合う縦リブの間に縦リブよりも背の低い小リブを縦リブと平行に形成したキャップが提案されている（例えば、特許文献１）。
また、外周面に形成されたローレットが、複数の分割ローレットからなるローレット付きキャップが提案されている（例えば、特許文献２）。特許文献２の発明は、複数の分割ローレットとして、凹凸部材が連続して形成される凹凸部と、凹凸部材のない空白部とを形成したり、左回転摩擦部と右回転摩擦部とを形成したりすることで、キャップの開閉作業の容易化を図っている。
【０００４】
また、キャップとしては、容器本体の口部を塞ぐのみならず、内容物を計量する計量具として用いられる計量キャップがある。計量キャップは、内容物を計量しやすいように、計量部が透明又は半透明の材質で構成されると共に、計量部の外周面が平滑なものとされている。例えば、目盛表示を除いた部分にローレット加工による滑り止め部が形成された計量カップ兼用の蓋体が提案されている（例えば、特許文献３）。特許文献３の発明によれば、目盛表示を避けて滑り止め部が形成されているため、蓋体内に量り取った内容物と目盛表示とを容易に照合できる。
【先行技術文献】
【特許文献】
【０００５】
【特許文献１】特開２００１−３５４２４７号公報
【特許文献２】特開２００７−１６０３号公報
【特許文献３】特開２００２−１２２４２号公報
【発明の概要】
【発明が解決しようとする課題】
【０００６】
しかしながら、特許文献１〜２の技術を単に計量キャップに適用すると、キャップの外周面にローレットの凹凸が形成されているため、内容物と目盛とを照合しにくいという問題があった。加えて、計量キャップには、手指の滑り防止効果のさらなる向上が求められている。また、特許文献３の技術のように、量り取った内容物と目盛との照合を容易にするために、単にローレットを形成しない領域を形成すると、キャップを開閉する際の手指の滑りを十分に防止できず、キャップの開閉が煩雑になるという問題がある。
そこで、内容物を容易に計量できると共に、容易に開閉できる計量キャップを目的とする。
【課題を解決するための手段】
【０００７】
本発明の計量キャップは、内部が計量室とされたキャップ本体を備え、該キャップ本体の外周面には、その周方向に略直交する凸条が前記周方向に複数並んだローレット部が複数形成され、任意の前記ローレット部と他の任意の前記ローレット部との間には、前記凸条が形成されていない平滑部が形成され、前記周方向に回転させることにより容器本体に螺着又は螺脱される計量キャップにおいて、前記ローレット部は、複数の第一の凸条からなる低ローレット部と、前記周方向における前記低ローレット部の両端に隣接して形成された第二の凸条からなる高ローレット部とを備え、前記第二の凸条は、前記キャップ本体の外周面上の高さが、前記第一の凸条の高さよりも高いことを特徴とする。
任意の前記ローレット部は、前記キャップ本体の軸線を中心として８０〜１００°の範囲に形成され、かつ任意の前記平滑部は、前記キャップ本体の軸線を中心として８０〜１００°の範囲に形成されていることが好ましく、任意の前記ローレット部が、他の任意の前記ローレット部と前記キャップ本体の軸線に対し対称に形成されていることがより好ましく、前記第二の凸条は、前記キャップ本体の軸線方向に直交する断面が、突端を頂部とする略三角形とされていることが好ましい。前記キャップ本体の開口端から外方に延設された段差壁部と、該段差壁部の周縁から前記キャップ本体の軸線方向に延設された外筒部とを備え、前記外筒部の外周面には、その周方向に略直交する凸条が複数形成されていることが好ましい。
【発明の効果】
【０００８】
本発明の計量キャップによれば、内部が計量室とされたキャップ本体を備え、該キャップ本体の外周面には、ローレット部が複数形成され、任意の前記ローレット部と他の任意の前記ローレット部との間には、前記凸条が形成されていない平滑部が形成され、前記ローレット部は、複数の第一の凸条からなる低ローレット部と、前記周方向における前記低ローレット部の両端に隣接して形成された第二の凸条からなる高ローレット部とを備え、前記第二の凸条は、前記キャップ本体の外周面上の高さが、前記第一の凸条の高さよりも高いため、内容物を容易に計量できると共に、容易に開閉できる。
本発明の計量キャップによれば、任意の前記ローレット部は、前記キャップ本体の軸線を中心として８０〜１００°の範囲に形成され、かつ任意の前記平滑部は、前記キャップ本体の軸線を中心として８０〜１００°の範囲に形成されているため、内容物をより容易に計量できると共に、より容易に開閉できる。
本発明の計量キャップによれば、任意の前記ローレット部が、他の任意の前記ローレット部と前記キャップ本体の軸線に対し対称に形成されているため、より容易に開閉できる。
本発明の計量キャップによれば、前記第二の凸条は、前記キャップ本体の軸線方向に直交する断面が、突端を頂部とする略三角形とされているため、より容易に開閉できる。
本発明の計量キャップによれば、前記キャップ本体の開口端から外方に延設された段差壁部と、該段差壁部の周縁から前記キャップ本体の軸線方向に延設された外筒部とを備え、前記外筒部の外周面には、その周方向に略直交する凸条が複数形成されているため、より容易に開閉できる。
【図面の簡単な説明】
【０００９】
【図１】本発明の一実施形態にかかる計量キャップの斜視図である。
【図２】（ａ）本発明の一実施形態にかかる計量キャップの平面図である。（ｂ）本発明の一実施形態にかかる計量キャップの左側面図である。（ｃ）本発明の一実施形態にかかる計量キャップの正面図である。（ｄ）本発明の一実施形態にかかる計量キャップの右側面図である。（ｅ）本発明の一実施形態にかかる計量キャップの背面図である。（ｆ）本発明の一実施形態にかかる計量キャップの底面図である。
【図３】図２（ｄ）のＩＩＩ−ＩＩＩ断面図である。
【図４】本発明の一実施形態にかかる計量キャップの平面図である。
【図５】図２（ｅ）のＶ−Ｖ断面図である。
【図６】本発明の一実施形態にかかる計量キャップを備えた計量キャップ付き容器の部分正面図である。
【図７】本発明の一実施形態にかかる計量キャップの斜視図である。
【発明を実施するための形態】
【００１０】
本発明の一実施形態にかかる計量キャップについて、以下に図面を参照して説明する。図６に示すように、計量キャップ１は、計量キャップ付き容器１００の蓋体として用いられるものである。計量キャップ付き容器１００は、容器本体９と、容器本体９に着脱可能に装着される計量キャップ１とを備えるものである。
【００１１】
容器本体９は、内容物として液体洗剤、液体漂白剤、液体柔軟剤、溶剤等の液状物や、粒状洗剤、粒状漂白剤、粒状調味料等の粉粒物を収納するボトル体８と、ボトル体８の口部８０に装着された注出体７とを備えるものである。
注出体７は、口部８０と螺合される螺合筒部７２と、螺合筒部７２の内側に設けられ、本体容器８内外を連通するノズル７０とを備え、螺合筒部７２の外面上部にネジ部７４が形成されたものである。また、螺合筒部７２の内側には、口部８０に形成されたネジ部８２と螺合するネジ部が形成されている（不図示）。
【００１２】
図１〜３に示すように、計量キャップ１は、キャップ本体１０と、キャップ本体１０の外周面に設けられたキャップ螺合部４０とを備えるものであり、キャップ本体１０とキャップ螺合部４０とが一体成形されたものである。
【００１３】
キャップ本体１０は、略円筒状の側壁部１４と、側壁部１４の一方の開口端を塞ぐ天壁部１２とを備える有蓋円筒状のものであり、側壁部１４の他方の開口端には、キャップ本体１０の軸線Ｏ１方向に延設された略円筒状の下筒部１６が設けられている。キャップ螺合部４０は、側壁部１４の他方の開口端から外方に延設された段差壁部４２と、段差壁部４２の周縁からキャップ本体１０の軸線Ｏ１方向に延設された外筒部４４とを備えるものである。
【００１４】
側壁部１４の外周面には、ローレット部２０が２つ形成され、任意のローレット部２０と、他の任意のローレット部２０との間に、凸条を備えない平滑部３０が形成されている。
【００１５】
ローレット部２０は、側壁部１４の外周面の周方向に対し略直交（即ち、軸線Ｏ１と略平行）する複数の凸条が、周方向（即ち、軸線Ｏ１回り）に複数並んで形成されたものである。
ローレット部２０は、低ローレット部２２と、側壁部１４の外周面の周方向における低ローレット部２２の両端に隣接して形成された高ローレット部２４とからなるものである。低ローレット部２２は、軸線Ｏ１に略平行な複数の第一の凸条２３が、軸線Ｏ１回りに並んで形成されたものであり、高ローレット部２４は、第一の凸条２３より高い第二の凸条２５からなるものである。本実施形態においては、高ローレット部２４が、低ローレット部２２の両端に、各々１つ形成されている。なお、第一の凸条２３及び第二の凸条２５の高さは、側壁部１４の外周面上の高さであり、外周面は、軸線Ｏ１を中心とし、平滑部３０に外接する仮想円の輪郭を含む面である。
【００１６】
平滑部３０には、キャップ本体１０に収納した内容物の量を示す第一の表示３２と第二の表示３４とが形成されている。第一の表示３２は、天壁部１２から下筒部１６に向かう距離を示す計量線と「１０」の数字とからなり、段差壁部４２と天壁部１２との間に形成されている。本実施形態において、「１０」の数字は、計量線に併せて計量した内容物が約１０ｍＬであることを示すものである。第一の表示３２としては、例えば、シルクスクリーン印刷やタンポ印刷等の印字、平滑部３０に形成された凸条又は凹条等が挙げられる。
第二の表示３４は、天壁部１２から下筒部１６に向かう距離を示す計量線と「２０」の数字とからなり、段差壁部４２と第一の表示３２との間に形成されている。本実施形態において、「２０」の数字は、計量線に併せて計量した内容物が約２０ｍＬであることを示すものである。第二の表示３４としては、例えば、シルクスクリーン印刷やタンポ印刷等の印字、平滑部３０に形成された凸条又は凹条等が挙げられる。
【００１７】
外筒部４４の外周面には、外筒ローレット部５０が形成されると共に、任意の外筒ローレット部５０と他の任意の外筒ローレット部５０との間に、凸条が形成されていない外筒平滑部６０が形成されている。外筒ローレット部５０は、軸線Ｏ１に略平行な第三の凸条５２が軸線Ｏ１回りに複数並んで形成されたものである。また、図３に示すように、外筒部４４の内周面には、ネジ部７４と螺合するネジ部４６が形成されている。
【００１８】
キャップ本体１０の外径Ｒ１（図２（ａ））は、特に限定されないが、例えば、２〜５ｃｍとされる。
キャップ螺合部４０の外径Ｒ２（図２（ａ））は、特に限定されないが、例えば、３〜７ｃｍとされる。
【００１９】
本実施形態において、任意のローレット部２０と、他の任意のローレット部２０とは、軸線Ｏ１に対し対称に形成されている。ローレット部２０が形成される範囲は特に限定されないが、例えば、軸線Ｏ１と交差し、任意のローレット部２０の一方の端部に接する仮想線Ｐ１と、軸線Ｏ１と交差し、前記の任意のローレット部２０の他方の端部に接する仮想線Ｐ２とのなす角度θ１（図４）が８０〜１００°であることが好ましく、８５〜９５°であることがより好ましい。上記範囲内であれば、手指を滑りにくくし、計量キャップ１を容易に開閉できる。
【００２０】
平滑部３０が形成される範囲は特に限定されないが、例えば、仮想線Ｐ１と仮想線Ｐ２とのなす角度θ２（図４）が８０〜１００°であることが好ましく、８５〜９５°であることがより好ましい。上記範囲内であれば、キャップ本体１０内に量り取った内容物を容易に視認できるためである。
【００２１】
低ローレット部２２を形成する第一の凸条２３は、全てが同等の高さであってもよいし、互いに異なる高さであってもよい。図５に示すように、本実施形態における低ローレット部２２は、第一の凸条２３ａと第一の凸条２３ａよりも低い第一の凸条２３ｂとが交互に並んで形成されたものである。第一の凸条２３ａと第二の凸条２３ｂとを交互に形成することで、手指の滑り防止効果をより向上できる。
【００２２】
図５に示すように、第一の凸条２３ａは、軸線Ｏ１に直交する断面の形状（単に、断面形状ということがある）が、突端を頂部とする略三角形とされている。略三角形とは、三角形のみならず、頂部が曲線又は直線で面取りされた形状を含む。手指への痛みを緩和する観点から、第一の凸条２３ａの断面形状は、その頂部が曲線で面取りされ、円弧状とされていることが好ましい。
第一の凸条２３ｂの断面形状は、第一の凸条２３ａと同様であり、第二の凸条２５の断面形状は、第一の凸条２３ａと同様である。
【００２３】
第一の凸条２３ａの高さＴ１は、特に限定されないが、例えば、０．２〜１．５ｍｍが好ましい。０．２ｍｍ未満では、計量キャップ１の開閉時に手指が引っ掛かりにくいおそれがあり、１．５ｍｍ超では、計量キャップ１の開閉時に手指に痛みを感じるおそれがある。
【００２４】
第一の凸条２３ｂの高さＴ２は、特に限定されないが、例えば、Ｔ２／Ｔ１＝０．２以上１未満が好ましい。０．２未満では、高低差が大きすぎ、計量キャップ１の開閉時に手指に痛みを感じるおそれがある。
【００２５】
第一の凸条２３ａ同士の間隔Ｗ１、即ち任意の第一の凸条２３ａの突端と、第一の凸条２３ｂを介して隣接する他の任意の第一の凸条２３ａの突端との距離は、特に限定されないが、例えば、０．５〜２０ｍｍが好ましく、１〜１０ｍｍがより好ましい。上記範囲内であれば、計量キャップ１の開閉時に手指が引っ掛かりやすいためである。
【００２６】
第二の凸条２５の高さＴ３は、第一の凸条２３ａ及び第一の凸条２３ｂよりも高いものであれば特に限定されないが、例えば、上限は５ｍｍが好ましい。５ｍｍ超では、計量キャップ１の開閉時に手指に痛みを感じるおそれがある。
また、Ｔ３／Ｔ１は、例えば、１．２〜３が好ましい。１．２未満では、高ローレット部２４を形成した効果が得られにくく、３超では、計量キャップ１の開閉時に手指に痛みを感じるおそれがある。
【００２７】
外筒ローレット部５０は、第三の凸条５２の全てが同じ高さであってもよいし、低ローレット部２２と同様に、任意の高さの第三の凸条５２と、この第三の凸条５２よりも低い第三の凸条５２とが交互に形成されたものであってもよい。
外筒ローレット部５０が形成される範囲は、ローレット部２０が形成される範囲と同様である。
【００２８】
計量キャップ１の材質は、透明又は半透明のものであり、例えば、ポリエチレン、ポリプロピレン等のポリオレフィン、ポリエチレンテレフタレート等のポリエステル、ポリスチレン等の樹脂が挙げられる。
【００２９】
本実施形態の計量キャップ１の使用方法は、従来の計量キャップと同様に、側壁部１４の外周面に形成されたローレット部２０に手指を当接し、キャップ本体１０を把持し、軸線Ｏ１回りに回転させることで、容器本体９に螺着又は螺脱して開閉するものである。高ローレット部２４は、低ローレット部２０よりも高い凸条で形成され、かつ低ローレット部２２の両側、即ち、平滑部３０の両側に形成されている。このため、使用者は、手指でローレット部２０に触れただけで、容易に高ローレット部２４の存在を認識できる。そして、使用者は、高ローレット部２４と低ローレット部２２とにわたって手指を掛け、計量キャップ１を容易に回転できる。この際、使用者の手指は、低ローレット部２２で滑りが防止されつつ、高ローレット部２４に強く掛かるため、計量キャップ１を容器本体９に容易に螺着又は螺脱できる。
【００３０】
内容物を計量する際は、計量キャップ１を容器本体９から螺脱し、ノズル７０から内容物を注出し、注出した内容物を下筒部１６の開口端からキャップ本体１０内に注ぎ入れる。この際、第一の表示３２及び第二の表示３４が形成された平滑部３０を手で塞がないようにキャップ螺合部４０を把持することで、第一の表示３２又は第二の表示３４と内容物とを照合できる。そして、使用者は、外筒ローレット５０に手指を当接することで手指の滑りが防止され、計量キャップ１を落下させることなく、内容物を計量できる。
【００３１】
上述の通り、本実施形態の計量キャップ１によれば、低ローレット部２２の両側に高ローレット部２４が形成されているため、計量キャップ１の開閉が容易である。
加えて、本実施形態の計量キャップ１は、平滑部３０が形成されているため、この平滑部３０に形成された第一の表示３２又は第二の表示３４と、キャップ本体１０に収納した内容物とを容易に照合できる。
【００３２】
さらに、本実施形態の計量キャップ１は、２つのローレット部２０が軸線Ｏ１に対し対称に形成されているため、計量キャップ１の螺着又は螺脱のいずれの操作においても、手指が低ローレット部２２及び高ローレット部２４に掛かり、手指の滑りを防止できる。
【００３３】
本実施形態の計量キャップ１は、キャップ螺合部４０が形成され、かつ外筒部４４に外筒ローレット部５０が形成されているため、より容易に内容物を計量できる。
【００３４】
本発明は、上述の実施形態に限定されるものではない。
上述の実施形態では、キャップ本体が、有蓋円筒状とされているが、本発明はこれに限定されず、キャップ本体が有底多角筒状であってもよい。あるいは、図７に示す計量キャップ２００のキャップ本体２１０のように、その軸線Ｏ２方向に漸次縮径する半球形状であってもよい。
【００３５】
上述の実施形態では、キャップ本体に、２つのローレット部が形成されているが、本発明はこれに限定されず、ローレット部は３つ以上であってもよい。
【００３６】
上述の実施形態では、２つのローレット部がキャップ本体の軸線に対し対称に形成されているが、本発明はこれに限定されず、２つのローレット部が軸線に対し非対称に形成されていてもよい。ただし、計量キャップの開閉のしやすさの観点から、２つのローレット部は、軸線に対し対称に形成されていることが好ましい。
【００３７】
上述の実施形態では、第一の凸条の断面が略三角形とされているが、本発明はこれに限定されず、第一の凸条の断面が、三角形以外の多角形であってもよいし、第一の凸条の突端が円弧状のものであってもよい。
また、上述の実施形態では、第二の凸条の断面が略三角形とされているが、本発明はこれに限定されず、第二の凸条の断面が、三角形以外の多角形であってもよいし、第二の凸条の突端が円弧状とされていてもよい。
【００３８】
上述の実施形態では、高ローレット部が１つの第二の凸条により形成されているが、本発明は、これに限定されず、高ローレット部が２つ以上の第二の凸条により形成されていてもよい。ただし、手指に痛みを与えず、かつ計量キャップの開閉をより容易にする観点から、高ローレット部は、１つの第二の凸条により形成されていることが好ましい。
【００３９】
上述の実施形態では、段差壁部を備えるキャップ螺合部が形成されているが、本発明はこれに限定されず、例えば、キャップ螺合部が形成されておらず、下筒部の内面に容器本体と螺合するネジ部が形成されていてもよい。
【００４０】
上述の実施形態では、外筒部の外周面に外筒ローレット部が形成されているが、本発明はこれに限定されず、外筒ローレット部が形成されていなくてもよい。ただし、内容物を計量する際に、計量キャップを安定して把持できるため、外筒ローレット部が形成されていることが好ましい。
【００４１】
上述の実施形態では、外筒部には、外筒ローレット部の両端に高ローレット部に相当する凸条が形成されていないが、本発明はこれに限定されず、外筒ローレット部の両端に、第三の凸条よりも高い凸条が形成されていてもよい。通常、計量キャップ付容器に内容物を収納した内容物入り製品を製造する際は、計量キャップを容器本体に蓋閉装置で螺合する。外筒ローレット部の両端に、第三の凸条より高い凸条が形成されていると、蓋閉装置の調整が煩雑になる。従って、外筒部には、外筒ローレット部の両端に、第三の凸条より高い凸条が形成されていないことが好ましい。
【符号の説明】
【００４２】
１、２００    計量キャップ
１０、２１０  キャップ本体
２０    ローレット部
２２    低ローレット部
２３、２３ａ、２３ｂ    第一の凸条
２４    高ローレット部
２５    第二の凸条
３０    平滑部
４０    キャップ螺合部
４２    段差壁部
４４    外筒部
５０    外筒ローレット部
５２    第三の凸条
Ｏ１、Ｏ２    軸線
【図１】
2012144280.tif 000003
【図２】
2012144280.tif 000004
【図３】
2012144280.tif 000005
【図４】
2012144280.tif 000006
【図５】
2012144280.tif 000007
【図６】
2012144280.tif 000008
【図７】
2012144280.tif 000009
【手続補正書】
【提出日】平成24年1月23日(2012.1.23)
【手続補正１】
【補正対象書類名】明細書
【補正対象項目名】００１１
【補正方法】変更
【補正の内容】
【００１１】
容器本体９は、内容物として液体洗剤、液体漂白剤、液体柔軟剤、溶剤等の液状物や、粒状洗剤、粒状漂白剤、粒状調味料等の粉粒物を収納するボトル体８と、ボトル体８の口部８０に装着された注出体７とを備えるものである。
注出体７は、口部８０と螺合される螺合筒部７２と、螺合筒部７２の内側に設けられ、ボトル体８内外を連通するノズル７０とを備え、螺合筒部７２の外面上部にネジ部７４が形成されたものである。また、螺合筒部７２の内側には、口部８０に形成されたネジ部８２と螺合するネジ部が形成されている（不図示）。
【手続補正２】
【補正対象書類名】明細書
【補正対象項目名】００２１
【補正方法】変更
【補正の内容】
【００２１】
低ローレット部２２を形成する第一の凸条２３は、全てが同等の高さであってもよいし、互いに異なる高さであってもよい。図５に示すように、本実施形態における低ローレット部２２は、第一の凸条２３ａと第一の凸条２３ａよりも低い第一の凸条２３ｂとが交互に並んで形成されたものである。第一の凸条２３ａと第一の凸条２３ｂとを交互に形成することで、手指の滑り防止効果をより向上できる。
【手続補正３】
【補正対象書類名】明細書
【補正対象項目名】００２９
【補正方法】変更
【補正の内容】
【００２９】
本実施形態の計量キャップ１の使用方法は、従来の計量キャップと同様に、側壁部１４の外周面に形成されたローレット部２０に手指を当接し、キャップ本体１０を把持し、軸線Ｏ１回りに回転させることで、容器本体９に螺着又は螺脱して開閉するものである。高ローレット部２４は、低ローレット部２２よりも高い凸条で形成され、かつ低ローレット部２２の両側、即ち、平滑部３０の両側に形成されている。このため、使用者は、手指でローレット部２０に触れただけで、容易に高ローレット部２４の存在を認識できる。そして、使用者は、高ローレット部２４と低ローレット部２２とにわたって手指を掛け、計量キャップ１を容易に回転できる。この際、使用者の手指は、低ローレット部２２で滑りが防止されつつ、高ローレット部２４に強く掛かるため、計量キャップ１を容器本体９に容易に螺着又は螺脱できる。
【手続補正４】
【補正対象書類名】明細書
【補正対象項目名】００３０
【補正方法】変更
【補正の内容】
【００３０】
内容物を計量する際は、計量キャップ１を容器本体９から螺脱し、ノズル７０から内容物を注出し、注出した内容物を下筒部１６の開口端からキャップ本体１０内に注ぎ入れる。この際、第一の表示３２及び第二の表示３４が形成された平滑部３０を手で塞がないようにキャップ螺合部４０を把持することで、第一の表示３２又は第二の表示３４と内容物とを照合できる。そして、使用者は、外筒ローレット部５０に手指を当接することで手指の滑りが防止され、計量キャップ１を落下させることなく、内容物を計量できる。
【手続補正５】
【補正対象書類名】図面
【補正対象項目名】図３
【補正方法】変更
【補正の内容】
【図３】
2012144280.tif 000010